(57)【特許請求の範囲】
【請求項１】
洗面台や流し台の壁板又は天板に固定される基台と、該基台に昇降自在に挿通されるスライド管と、該スライド管を挿通するホースにより水栓と接続するシャワーヘッドとを備えたシャワー装置において、前記スライド管の上部先端に支持部を形成し、前記シャワーヘッドはホースが挿通する開口部が形成され、該開口部内周には抱束部材が装着され、該抱束部材に前記スライド管の支持部が結合されることで、シャワーヘッドの上下方向への操作でスライド管を基台から昇降自在としたことを特徴とするシャワー装置。
【請求項２】
前記スライド管は基台に昇降自在に挿通する第１スライド管と、該第１スライド管に対し昇降自在に挿通する第２スライド管とからなり、該第２スライド管の上部先端に支持部を形成したことを特徴とする請求項１記載のシャワー装置。
【請求項３】
前記スライド管は、第１スライド管と第２スライド管を突起と係止溝により係合させ、互いに結合した状態で回転可能としたことを特徴とする請求項２記載のシャワー装置。
【請求項４】
前記シャワーヘッドは、該シャワーヘッドをスライド管の支持部に形成した係合孔に係合する本体部と、該本体部の係合孔に対する係合を解除する操作ボタンとを備えた抱束部材によりスライド管に着脱自在に結合し、操作ボタンの操作で抱束部材による係合を解除することで、シャワーヘッドをスライド管から引き出し自在としたことを特徴とする請求項１乃至３の何れかに記載のシャワー装置。
【請求項５】
前記シャワーヘッドは、該シャワーヘッドの開口部に支持され外周方向への弾性力を有する板ばねと、該板ばねの弾性力によりシャワーヘッドに穿設した操作孔から出没自在の操作ボタンと、該操作ボタンの操作でスライド管の支持部に形成した係合孔に弾力的に係合させることのできる係止片とを備えた抱束部材によりスライド管に着脱自在に結合可能で、操作ボタンの操作で係止片を支持部の係合孔へ弾力的に係合させることで、シャワーヘッドの上下方向の操作でシャワーヘッドと共にスライド管を昇降自在とし、操作ボタンを操作しない状態では、板ばねの弾性力により係止片の係合孔への係合が解除されることで、シャワーヘッドをスライド管から引き出し自在としたことを特徴とする請求項１乃至３の何れかに記載のシャワー装置。
【請求項６】
前記係止片は操作ボタン又は板ばねに一体に形成したことを特徴とする請求項５記載のシャワー装置。
【請求項７】
前記シャワーヘッドは、ホースを挿通させるために形成した開口部にスライド管の支持部を収容した状態で、基台に支持されることを特徴とする請求項１乃至６の何れかに記載のシャワー装置。
【発明の詳細な説明】
【０００１】
【発明の属する技術分野】
本発明は、洗面台や流し台でシャワーヘッドを昇降自在に支持するシャワー装置に関するものである。
【０００２】
【従来の技術】
従来、洗面台や流し台に、シャワーヘッドを昇降自在に支持するシャワー装置を装着したものとして公知のものに、本願図面の図１８乃至図２０のものがある。この図１８乃至図２０について簡単に説明すると、洗面台７０の天板７１後部に立ち上がる壁板７２に基台７３を固定し、該基台７３にはカウンター前部側に上り傾斜する挿孔７４を穿設し、該挿孔７４に円柱状のスライド管７５を上下に昇降自在に挿通すると共に、該スライド管７５の上端に、シャワーヘッド７９を着脱自在に支持するホルダー７７を固定し、スライド管７５を貫通した通し孔７６に挿通するホース７８により、壁板７２に固定された混合水栓８０とシャワーヘッド７９とを接続したものである。
【０００３】
したがって、図１９に示すようにシャワーヘッド７９が、ホルダー７７と共に基台７３に支持された状態では、シャワーヘッド７９は比較的低い位置にあり、シャワーヘッド７９から吐水される湯水で手洗いや洗顔を良好に行なうことができ、図２０に示すように、ホルダー７７を手に持ち、シャワーヘッド７９及びスライド管７５と共に基台７３から上昇させれば、シャワーヘッド７９から吐水される湯水で洗髪等を行なうことができるものである。
【０００４】
上記のシャワー装置は、シャワーヘッドは、スライド管の上端に固定したホルダーに着脱自在に支持されており、ホルダーはシャワーヘッドを上昇させる際に手で握ることが出来るように、大きく形成する必要がある。したがってシャワーヘッドはホルダーと共に基台に支持された状態であっても壁板の前部の空間に大きく張り出してしまい、たとえば洗顔を行なう際に頭がシャワーヘッドに当たってしまい、使い勝手が悪くなるという問題があった。
【０００５】
また、シャワーヘッドを基台から上昇させるには、シャワーヘッドではなくホルダーを握る必要があり、シャワーヘッドの引き出しと上下昇降方向への操作の際に別の物品を握ることとなり、操作性が悪かった。
【０００６】
さらに、スライド管は壁板の後部に傾斜した状態で突出しているが、壁板の後部の空間が狭い場合はスライド管が後方の壁面に衝突してしまうので、シャワー装置を装着することができない。そこでスライド管を空間に収まるように短くすると、シャワーヘッドの壁板から前部への上昇量が制限され、高い位置まで上昇させることができず、使い勝手が悪くなるものであった。
【０００７】
なお、シャワー装置を洗面台や流し台の水平方向の天板に固定した場合も、前述と同様に天板の表側及び裏側への垂直方向への張り出し量が大きくなると、このシャワー装置がスペースを占有し、使い勝手が悪くなるものであった。
【０００８】
【発明が解決しようとする課題】
本発明が解決しようとする課題は、洗面台や流し台の壁板又は天板に固定される基台と、該基台に昇降自在に挿通されるスライド管と、該スライド管を挿通するホースにより水栓と接続するシャワーヘッドとを備えたシャワー装置において、コンパクトに形成し、壁板又は天板の表側への張り出し量を抑え、使い勝手を向上させ、さらに操作性の向上を図ることである。また別の課題は、壁板又は天板の表側への張り出し量だけでなく、裏側への張り出し量も抑えることである。
【０００９】
【課題を解決するための手段】
本発明は請求項１では、洗面台や流し台の壁板又は天板に固定される基台と、該基台に昇降自在に挿通されるスライド管と、該スライド管を挿通するホースにより水栓と接続するシャワーヘッドとを備えたシャワー装置において、前記スライド管の上部先端に支持部を形成し、前記シャワーヘッドはホースが挿通する開口部が形成され、該開口部内周には抱束部材が装着され、該抱束部材に前記スライド管の支持部が結合されることで、シャワーヘッドの上下方向への操作でスライド管を基台から昇降自在としたものである。
【００１０】
請求項２では、前記スライド管は基台に昇降自在に挿通する第１スライド管と、該第１スライド管に対し昇降自在に挿通する第２スライド管とからなり、該第２スライド管の上部先端に支持部を形成したものである。
【００１１】
請求項３では、前記スライド管は、第１スライド管と第２スライド管を突起と係止溝により係合させ、互いに結合した状態で回転可能としたものである。
【００１２】
請求項４では、前記シャワーヘッドは、該シャワーヘッドをスライド管の支持部に嵌合する本体部と、該本体部の支持部に対する嵌合を解く操作ボタンとを備えた抱束部材によりスライド管に着脱自在に結合し、操作ボタンの操作で抱束部材による嵌合を解除することで、シャワーヘッドをスライド管から引き出し自在としたものである。
【００１３】
請求項５では、前記シャワーヘッドは、該シャワーヘッドの開口部に支持され外周方向への弾性力を有する板ばねと、該板ばねの弾性力によりシャワーヘッドに穿設した操作孔から出没自在の操作ボタンと、該操作ボタンの操作でスライド管の支持部に形成した係合孔に弾力的に係合させることのできる係止片とを備えた抱束部材によりスライド管に着脱自在に結合可能で、操作ボタンの操作で係止片を支持部の係合孔へ弾力的に係合させることで、シャワーヘッドの上下方向の操作でシャワーヘッドと共にスライド管を昇降自在とし、操作ボタンを操作しない状態では、板ばねの弾性力により係止片の係合孔への係合が解除されることで、シャワーヘッドをスライド管から引き出し自在としたものである。
【００１４】
請求項６では、前記係止片は操作ボタン又は板ばねに一体に形成したものである。
【００１５】
請求項７では、前記シャワーヘッドは、ホースを挿通させるために形成した開口部にスライド管の支持部を収容した状態で、基台に支持されるものである。
【００１６】
【発明の実施の形態】
以下、本発明の実施の形態を図に基づいて詳細に説明する。本発明のシャワー装置は洗面台や流し台等に適用されるものであり、本実施例では洗面台に適用する場合を示す。第１の実施形態では図１に示すように、洗面台１は天板２の中央にボウル３が配置されており、ボウル３の後方から上方に向けて立設した壁板４には、シングルレバー式の水栓６及びシャワー装置Ａが装着され、該シャワー装置Ａは壁板４に固定される基台８と、該基台８に昇降自在に挿通されるスライド管２３と、該スライド管２３を挿通するホース７により前記水栓６と接続するシャワーヘッド４２とを備え、水栓６に設けたレバー６ａの操作で温度及び流量が調節された湯水は、シャワーヘッド４２からボウル３へ向けて吐水されるものである。なお、水栓は天板に装着してもよく、シングルレバー式に限らず、サーモスタット式あるいは２ハンドル式であってもよい。
【００１７】
前記基台８は合成樹脂の成形によるもので、図２に示すように、壁板４に穿設した壁孔５に挿通して固定されるものであり、この基台８は壁板４の表側に突出する固定部材９と、該固定部材９の内部に形成した開口孔１０に螺着して結合するガイド部材１４とを備えている。
【００１８】
前記固定部材９は、付着した湯水が天板２に向けて落下しやすいように下側を前方に突出させた傾斜面１１が形成され、前記開口孔１０の内周側に、壁板４より前方に向けて上り傾斜する第１挿孔１２が穿設され、後面には垂直面１３が形成されている。
【００１９】
前記ガイド部材１４は略円筒状で、固定部材９の開口孔１０に結合され、前記第１挿孔１２と同一内径として上下に穿設した第２挿孔１５の下端部内周面に、内周側へ突出した爪状のストッパー１６，１６を一対形成し、該ストッパー１６，１６は内周方向又は外周方向へ弾性変形可能である。
【００２０】
ガイド部材１４の上部には、前記第２挿孔１５より大径に開口した収容室１７が環状に形成され、該収容室１７には後述するスライド管２３の回転時に抵抗力を付与するためのリング１８が収容される。該リング１８は合成樹脂の成形による環状で、図３に示すように外周面の一部から外方向へ突出して突部１８ａを形成し、外周面の一部を縦方向に切除して切欠部１８ｂを形成することにより、収容室１７に収縮した状態で収容すると共に、内周面の全周にわたって縦方向に、雌セレーション１８ｃが刻設されている。
【００２１】
前記リング１８をガイド部材１４に収容するには、図４に示すように収容室１７の一部を大径に突出して形成した凹部１７ａに突部１８ａを嵌合し、前記切欠部１８ｂにより収縮された状態で収容するものであり、リング１８は後述する第１スライド管２４の外周面に弾力的に外嵌し、リング１８を上部から押圧する座金１９と、湯水が収容室１７へ浸入しないようにするためのシールリング２０とを上部に重ね合わせて、固定部材９の開口孔１０にガイド部材１４を螺着することで、リング１８は支持される。
【００２２】
前記基台８は、壁板４の壁孔５にガイド部材１４を表側から裏側に向けて挿入し、固定部材９の垂直面１３を壁板４の前面に当接させ、壁板４の後面側に当木２１を当てて固定具２２を螺着することで、壁板４に固定される。
【００２３】
前記スライド管２３は前記基台８の両挿孔１２，１５に上下昇降自在に挿通されるものであり、第１スライド管２４と、該第１スライド管２４の第１貫通孔２６を上下に昇降する第２スライド管３１とを備えている。
【００２４】
前記第１スライド管２４は合成樹脂の成形によるもので、基台８の両挿孔１２，１５を上下に挿通する略円筒状で、図５に示すように上下中間部より上部と下部の外周面に間隔をおいて雄セレーション２５，２５ａを環状に刻設し、該雄セレーション２５，２５ａは前記リング１８の雌セレーション１８ｃと嵌合し、スライド管２３の回転時に適度の抵抗力が付与され、位置決めが可能である。
【００２５】
第１スライド管２４は上下に貫通した第１貫通孔２６の内壁面上方に、第２スライド管３１を上下には摺動するが回転不能とするための突起２７，２７が向かい合わせて一対形成されており、下端部外周面には、前記基台８のガイド部材１４下端面に環状に当接する鍔部２８がやや大径に形成され、この鍔部２８の上部外周面には、環状の凸部２９と凹部３０を上下に併設して形成している。
【００２６】
したがって、第１スライド管２４を基台８から上昇させると、凸部２９は前記ガイド部材１４のストッパー１６を乗り越え、凹部３０にストッパー１６が弾力的に係合することで、スライド管２３を基台８に上昇位置で保持し、基台８から不用意に落下しないようにしている。
【００２７】
前記第２スライド管３１は合成樹脂の成形によるもので、上下に貫通した第２貫通孔３２に前記水栓６と接続するホース７を挿通させ、外周面の軸方向に前記第１スライド管２４の突起２７と係合する係止溝３３，３３を向かい合わせて一対形成し、該係止溝３３，３３を第１スライド管２４の第１貫通孔２６内を突起２７に係合して回転不能とした状態で上下に昇降自在である。
【００２８】
また、第２スライド管３１と第１スライド管２４は、係止溝３３と突起２７の係合により一体に回転自在であり、下部外周面には上下に間隔をおいて環状溝部３４，３４をやや大径にして形成し、該環状溝部３４，３４には第１スライド管２４の第１貫通孔２６内周面に弾力的に圧着するシール材３４ａ，３４ａをそれぞれ装着している。なお、本実施例では第１スライド管に突起を形成し、第２スライド管に係止溝を形成しているが、第１スライド管に係止溝を形成し、第２スライド管に突起を形成してもよい。
【００２９】
したがって、第２スライド管３１はシール材３４ａ，３４ａが、第１スライド管２４の第１貫通孔２６の内周面に弾力的に圧着しているので、第１スライド管２４から上昇させた際に手を離しても、第２スライド管３１は下降することがなく、第２スライド管３１に一定以上の力を加えれば、上下に昇降させることができる。また、第２スライド管３１は、上側の環状溝部３４が第１スライド管２４の突起２７に当接するところまで上昇させることができる。
【００３０】
前記第２スライド管３１は図５に示すように、先端に略円筒状の支持部３５が一体に形成され、該支持部３５の略中間部よりやや前方の外周面に係合孔３６が環状に形成され、図２及び図６に示すように、前記第２貫通孔３２より大径に形成した第３貫通孔３７には、シャワーヘッド４２を嵌合するためのブッシュ３９が、該ブッシュ３９の外周面に形成した爪４０と支持部３５に穿設した係止孔３８の弾力的な係合により装着され、このブッシュ３９は支持部３５から前方へ突出する先端に、シャワーヘッド４２を回転方向の位置決め自在に嵌合するための雄セレーション４１が環状に形成されている。
【００３１】
前記シャワーヘッド４２は第２スライド管３１の両貫通孔３２，３７を挿通するホース７の先端に接続されるものであり、先端に切替ボタン４３を装着し、この切替ボタン４３の操作で、下部に装着した散水板４４から吐水される湯水の吐水形態を、直流，シャワー水等に切り替えることができ、ホース７が挿通するために形成した開口部４５の内周面に螺着した接続部材４６は、前記ブッシュ３９の雄セレーション４１と嵌合する形状の雌セレーション４８が形成されている。
【００３２】
したがって、シャワーヘッド４２をスライド管２３の支持部３５に結合すると、接続部材４６の雌セレーション４８は、ブッシュ３９の雄セレーション４１に対し回転方向の任意の位置で嵌合し、シャワーヘッド４２を所定の方向に向けた状態で保持することができる。
【００３３】
図６及び図７に示すように前記シャワーヘッド４２の開口部４５内周には、図６に示すように抱束部材５１とケース５５とが装着され、該ケース５５には抱束部材５１を弾力的に付勢するスプリング５７と押圧具５８とが収容され、該押圧具５８の一部はケース５５から露出している。
【００３４】
抱束部材５１は略リング状で、本体部５２の中心に前記スライド管２３の支持部３５が挿通する挿通孔５３が穿設され、本体部５２の外周面には、シャワーヘッド４２の側面に開口した操作孔５０を挿通して外部へ出没する操作ボタン５４を一体に突出しており、本体部５２をスライド管２３の支持部３５に形成された環状の係合孔３６に嵌合するように、弾力的に付勢する押圧具５８とスプリング５７とがケース５５に収容され、該ケース５５は上下両面を開口した略箱型で両側面に突起５６が形成され、シャワーヘッド４２の開口部４５内周に形成された一対のアーム４７，４７に、該アーム４７に形成された凹部４７ａとケース５５の突起５６が係合することで支持されるものである。
【００３５】
したがって、シャワーヘッド４２は抱束部材５１によりスライド管２３の支持部３５に結合している状態では、シャワーヘッド４２を手に持って引き上げるとスライド管２３も共に上昇させることができる。
【００３６】
次にこの状態で図８に示すように抱束部材５１の操作ボタン５４を操作すると、抱束部材５１はスプリング５７の付勢力に抗して移動するので、抱束部材５１の本体部５２と係合孔３６の係合は解除され、操作ボタン５４を操作した状態のままシャワーヘッド４２を引き出すと、シャワーヘッド４２はスライド管２３から引き出し可能である。
【００３７】
このようにスライド管とシャワーヘッドは抱束部材により結合しているので、シャワーヘッドを昇降させるには、シャワーヘッドを手に持って引き上げればスライド管も共に上昇し、シャワーヘッドをスライド管から引き出すには、シャワーヘッドを手に持ち、抱束部材の操作ボタンを操作した状態のままシャワーヘッドをスライド管から引き出せばよい。
【００３８】
上記構成において、図２に示すようにシャワーヘッド４２がスライド管２３に支持された状態では、シャワーヘッド４２は比較的低い位置にあり、水栓６のレバー６ａを操作すれば、ホース７を通過した湯水はシャワーヘッド４２から吐水し、手洗いや洗顔を良好に行なうことができる。
【００３９】
次に洗髪等を行なうためシャワーヘッド４２の高さを変更するには、図９に示すようにシャワーヘッド４２をスライド管２３と共に傾斜方向に上昇させる。この際、シャワーヘッド４２は抱束部材５１により本体部５２が支持部３５の係合孔３６に係合しているので、スライド管２３はシャワーヘッド４２と共に上昇させることができる。
【００４０】
また、スライド管２３は第１スライド管２４と第２スライド管３１の二重構造であるが、最初は支持部３５が形成されている第２スライド管３１のみが上昇し、第２スライド管３１の環状溝部３４が第１スライド管２４の突起２７に当接すると、図９に示すように第１スライド管２４は第２スライド管３１と共に上昇し、次に図１０に示すようにシャワーヘッド４２は第２スライド管３１と共に上昇する。
【００４１】
次にシャワーヘッド４２をスライド管２３から引き出して使用するには、シャワーヘッド４２に装着されている抱束部材５１の操作ボタン５４を操作すると、抱束部材５１はスプリング５７により付勢された押圧具５８に抗して移動するので、本体部５２と支持部３５の係合孔３６の係合は解除され、シャワーヘッド４２をスライド管２３から引き出すことができる。
【００４２】
また、シャワーヘッド４２の使用を終えスライド管２３に支持するには、抱束部材５１の操作ボタン５４を操作した状態のままスライド管２３の支持部３５に支持し、操作ボタン５４から指を離せば、スプリング５７により押圧具５８が付勢され、再び抱束部材５１の本体部５２が係合孔３６に係合する。
【００４３】
本実施例ではシャワー装置を立設した壁板に固定しているが、シャワー装置はカウンターの後方で水平方向の壁板に固定してもよい。
【００４４】
図１２乃至図１７は本発明の第２の実施形態である。先の第１の実施形態ではシャワーヘッドを昇降させる操作と比較して使用頻度の多いシャワーヘッドの引き出し操作時に、わざわざ抱束部材の操作ボタンを操作し、本体部と支持部の係合孔の係合を解除する必要があり、手間のかかるものであった。
【００４５】
これに対して第２の実施形態では、抱束部材の操作ボタンを操作しなくてもシャワーヘッドをスライド管から引き出せるようにし、使用頻度の少ないシャワーヘッドの昇降時に抱束部材の操作ボタンを操作するようにしたものである。
【００４６】
図１２に示すように、この実施例のシャワー装置Ｂでは、シャワーヘッド４２ａの開口部４５ａ内周には、第１の実施形態とは異なる構造の抱束部材６０が装着される。抱束部材６０は板ばね６１と操作ボタン６２と係止片６２ｃとを備え、板ばね６１は弾性力を備えた金属材又は合成樹脂材により形成され、スライド管２３ａの支持部３５外周面を環状に覆うことができるように湾曲させた略リング状であり、開口部４５ａ内周面に沿って略同一間隔毎に形成された複数個のリブ４５ｂと開口部４５ａの内周面の間に支持され、一端に形成された折曲部６１ａがリブ４５ｂに係止されて周方向に移動しないように保持されている。
【００４７】
前記操作ボタン６２はシャワーヘッド４２ａの側面に開口した操作孔５０ａを開口部４５ａから挿通して、その頭部６２ａが外側へ出没自在としたものである。操作ボタン６２は開口部４５ａの内周で前記板ばね６１の折曲部６１ａの反対側に形成された端部６１ｂと当接して、板ばね６１により外側へ向けて弾力的に付勢される受部６２ｂと、スライド管２３の支持部３５に形成された環状の係合孔３６に部分的に係合するように弓状に湾曲した係止片６２ｃとを備えており、図１４に示す係止片６２ｃが係合孔３６に係合していない状態から図１５に示すように、操作孔５０ａから外側へ出没している操作ボタン６２の頭部６２ａを操作すれば、板ばね６１を開口部４５ａの内側へ弾力的に付勢させることができ、係止片６２ｃを係合孔３６に係合するようにしている。なお、係止片は本実施例のように操作ボタンに一体に形成しないで、板ばねに一体に形成してもよい。
【００４８】
また、図１３に示すように、スライド管２３ａは第２スライド管３１の係止溝３３に係合する突起２７ａを第１スライド管２４ａとは別物品とし、リング２７ｂを第１スライド管２４ａの上部先端に螺着することで、突起２７ａを第１スライド管２４ａに固定するようにしている。なお、その他の構成は前記第１実施形態と同一であるので、同一物品には同一の符号を付し詳細な説明を省略する。
【００４９】
本実施形態のシャワー装置Ｂでは図１５に示すように、シャワーヘッド４２ａは抱束部材６０により、操作ボタン６２の操作で該操作ボタン６２の係止片６２ｃがスライド管２３ａの係合孔３６に係合し、支持部３５に結合している状態では、図１６に示すようにシャワーヘッド４２ａを手に持って引き上げると、スライド管２３ａも共に基台８ａから上昇させることができる。
【００５０】
さらに図１４に示すように操作ボタン６２から指を離し、操作しない状態では、操作ボタン６２は板ばね６１により外側方向に弾力的に付勢され、係止片６２ｃと係合孔３６の係合は解除されており、この状態では図１７に示すように、シャワーヘッド４２ａをスライド管２３ａから引き出すことができる。
【００５１】
以上のように第２の実施形態では、シャワーヘッドの昇降操作と比較して使用頻度が高いシャワーヘッドの引き出し操作時の操作性を向上させるため、シャワーヘッドの昇降操作時に抱束部材の操作ボタンを操作するようにし、操作ボタンを操作しなくてもシャワーヘッドをスライド管から引き出すことができるようにした。従って、第１の実施形態よりさらに操作性を向上させたものである。
【００５２】
【発明の効果】
本発明は請求項１では、シャワー装置をコンパクトにすることができ、壁板又は天板の表側への張り出し量が少なく、例えば洗顔の際に頭がシャワーヘッドに当たるようなことがなく、使い勝手が向上するうえ、美観を向上させることができる。
【００５３】
また、シャワーヘッドを握ればスライド管を上下に昇降させることができ、従来のホルダーを握ってシャワーヘッドを上下に昇降させるものと比較して、操作性を向上させることができる。
【００５４】
請求項２では、請求項１に加えてスライド管は第１スライド管と第２スライド管の二重構造であるので、シャワー装置はコンパクトでありながら、シャワーヘッドを必要な高さに上昇させることができるうえ、壁板又は天板の裏側への張り出し量を少なくすることができ、裏側の空間が狭くても装着することができる。
【００５５】
請求項３では、スライド管は、第１スライド管と第２スライド管を突起と係止溝により係合させ、互いに結合した状態で回転可能としたので、シャワーヘッドの回転時の操作を支障なく行なうことができる。
【００５６】
請求項４では、シャワーヘッドを引き上げればスライド管も共に上昇させることができ、ホルダーを設けなくても操作性を維持することができる。
【００５７】
請求項５では、シャワーヘッドの昇降と比較して使用頻度の高いシャワーヘッドの引き出し時に操作ボタンを操作する必要が無く、操作性を大幅に向上させることができる。
【００５８】
請求項６では、抱束部材の部品点数を減少させることでコストの低減を図るとともに、シャワーヘッドへの装着時の作業性を向上させることができる。
【００５９】
請求項７では、スライド管の支持部はシャワーヘッドにより覆われ、シャワーヘッドを直接基台に支持することができ、美観を損なうことがない。
【図面の簡単な説明】
【図１】本発明の第１の実施形態によるシャワー装置を洗面台に装着した状態の説明図である。
【図２】シャワー装置を壁板に固定した状態の側断面図である。
【図３】リングの拡大斜視図である。
【図４】図２のＸ−Ｘ線の拡大平断面図である。
【図５】スライド管の分解斜視図である。
【図６】スライド管に結合するシャワーヘッドの一部破断した説明図である。
【図７】シャワーヘッドに抱束部材を装着する場合の説明図である。
【図８】シャワー装置を壁板に固定した状態の側断面図で、抱束部材の操作ボタンを操作した状態である。
【図９】シャワー装置のスライド管が上昇した状態の説明図である。
【図１０】シャワー装置の第１スライド管に対し第２スライド管が上昇した状態の説明図である。
【図１１】図１０のシャワー装置において、シャワーヘッドをスライド管から引き出した状態の説明図である。
【図１２】第２の実施形態によるシャワー装置で、スライド管に結合するシャワーヘッドの一部破断した説明図である。
【図１３】図１２のシャワー装置において、スライド管の分解斜視図である。
【図１４】第２の実施形態によるシャワー装置を壁板に固定した状態の側断面図である。
【図１５】図１４のシャワー装置において、抱束部材の操作ボタンを操作した状態である。
【図１６】図１５のシャワー装置において、スライド管が上昇した状態の説明図である。
【図１７】図１４のシャワー装置において、シャワーヘッドをスライド管から引き出した状態の説明図である。
【図１８】従来技術の説明図で、シャワー装置を洗面台に装着した状態の側面図である。
【図１９】図１８のシャワー装置を壁板に固定した状態の側断面図である。
【図２０】図１８のシャワー装置のスライド管を上昇した状態の説明図である。
【符号の説明】
１                      洗面台
２                      天板
４                      壁板
６                      水栓
７                      ホース
８，８ａ                基台
２３，２３ａ            スライド管
２４，２４ａ            第１スライド管
２７，２７ａ            突起
３１                    第２スライド管
３３                    係止溝
３５                    支持部
３６                    係合孔
４２，４２ａ            シャワーヘッド
４５，４５ａ            開口部
５０，５０ａ            操作孔
５１，６０              抱束部材
５２                    本体部
５４，６２              操作ボタン
６１                    板ばね
６２ｃ                  係止片
Ａ，Ｂ                  シャワー装置
【図１】
0003788938.tif 000002
【図２】
0003788938.tif 000003
【図３】
0003788938.tif 000004
【図４】
0003788938.tif 000005
【図５】
0003788938.tif 000006
【図６】
0003788938.tif 000007
【図７】
0003788938.tif 000008
【図８】
0003788938.tif 000009
【図９】
0003788938.tif 000010
【図１０】
0003788938.tif 000011
【図１１】
0003788938.tif 000012
【図１２】
0003788938.tif 000013
【図１３】
0003788938.tif 000014
【図１４】
0003788938.tif 000015
【図１５】
0003788938.tif 000016
【図１６】
0003788938.tif 000017
【図１７】
0003788938.tif 000018
【図１８】
0003788938.tif 000019
【図１９】
0003788938.tif 000020
【図２０】
0003788938.tif 000021